(57)【要約】【課題】浴室に人が不在の場合には、無駄な音声案内を抑制し、省エネ性や快適性を向上させることができる給湯機を提供すること。【解決手段】給湯機本体１と台所リモコン２と浴室リモコン３とを備え、前記浴室リモコン３は、人の在／不在を検知する人検知手段７と、音声出力手段８と、前記音声出力手段８の信号を音に変えるスピーカー９と、通信手段４とを有し、前記人検知手段７が人の不在を検知している場合は、前記音声出力手段８での音声案内を抑制する。【選択図】図１
2013194932.tif 000002
【特許請求の範囲】
【請求項１】
給湯機本体と台所リモコンと浴室リモコンとを備え、前記浴室リモコンは、人の在／不在を検知する人検知手段と、音声出力手段と、前記音声出力手段の信号を音に変えるスピーカーと、通信手段とを有し、前記人検知手段が人の不在を検知している場合は、前記音声出力手段での音声案内を抑制することを特徴とする給湯機。
【請求項２】
給湯機本体と台所リモコンと浴室リモコンとを備え、前記台所リモコンは、人の在／不在を検知する人検知手段と、音声出力手段と、前記音声出力手段の信号を音に変えるスピーカーと、通信手段とを有し、前記人検知手段が人の不在を検知している場合は、前記音声出力手段での音声案内を抑制することを特徴とする給湯機。
【発明の詳細な説明】
【技術分野】
【０００１】
本発明は、給湯機に関連し、特に、人検知制御に関するものである。
【背景技術】
【０００２】
従来、この種の給湯機では、浴室リモコンに付けられた人感センサーにより、浴室に人の在／不在を検知し、在室を検知している場合はおふろの追いだき処理を行うものがあった（例えば、特許文献１参照）。
【先行技術文献】
【特許文献】
【０００３】
【特許文献１】特開２０１０−０１９５０１号公報
【発明の概要】
【発明が解決しようとする課題】
【０００４】
しかしながら、前記従来の構成では、浴室リモコンに付けられた人感センサーにより、浴室に人の在／不在を検知し、在室を検知している場合はおふろの追いだき処理は行っているが、在／不在の情報によって、リモコンの音声制御の処理は行っていなかったので、例えば、浴室に人が不在の場合でも種々の音声案内が流れることもあり、耳障りな騒音や無駄な電力消費の発生を招いていた。
【０００５】
本発明は、前記従来の課題を解決するもので、人が不在の場合には、無駄な音声案内を抑制し、省エネ性や快適性を向上させた給湯機を提供することを目的とする。
【課題を解決するための手段】
【０００６】
前記従来の課題を解決するために、本発明の給湯機は、給湯機本体と台所リモコンと浴室リモコンとを備え、前記浴室リモコンは、人の在／不在を検知する人検知手段と、音声出力手段と、前記音声出力手段の信号を音に変えるスピーカーと、通信手段とを有し、前記人検知手段が人の不在を検知している場合は、前記音声出力手段での音声案内を抑制することを特徴としたものである。
【０００７】
これにより、浴室に人が不在の場合には、音声による案内はさせずに、省エネ性や快適性を向上させた給湯機を提供することができる。
【発明の効果】
【０００８】
本発明の給湯機は、浴室リモコンの人の不在情報によってリモコンによる音声案内を抑制することにより、人のいない浴室で種々の音声案内を行わなくすることができ、省エネ性や快適性を向上させた給湯機を提供することができる。
【図面の簡単な説明】
【０００９】
【図１】本発明の実施の形態１における給湯機のブロック図
【図２】同給湯機の音声案内のフローチャート
【発明を実施するための形態】
【００１０】
第１の発明は、給湯機本体と台所リモコンと浴室リモコンとを備え、前記浴室リモコンは、人の在／不在を検知する人検知手段と、音声出力手段と、前記音声出力手段の信号を音に変えるスピーカーと、通信手段とを有し、前記人検知手段が人の不在を検知している場合は、前記音声出力手段での音声案内を抑制することにより、無駄な音声案内をなくし
、省エネ性や快適性を向上させた給湯機を提供することができる。
【００１１】
第２の発明は、給湯機本体と台所リモコンと浴室リモコンとを備え、前記台所リモコンは、人の在／不在を検知する人検知手段と、音声出力手段と、前記音声出力手段の信号を音に変えるスピーカーと、通信手段とを有し、前記人検知手段が人の不在を検知している場合は、前記音声出力手段での音声案内を抑制することにより、無駄な音声案内をなくし、省エネ性や快適性を向上させた給湯機を提供することができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における給湯機のブロック図である。
【００１４】
図１において、給湯機本体１と台所リモコン２と浴室リモコン３は、リモコンケーブルで接続されている。浴室リモコン３には、給湯機本体１と通信を行う通信手段４があり、マイコン５と接続されている。また、表示手段６では、マイコン５からの信号により、使用者に対して表示を行う。人検知手段７は、浴室リモコン３近傍の人の在／不在を検知し、マイコン５に伝える。音声出力手段８は、マイコン５からの音声案内信号を受け取るとスピーカー９を駆動し、スピーカー９から種々の音声案内（例えば、お風呂のお湯張り完了報知の音声案内）が流れる。
【００１５】
なお、台所リモコン２にも、浴室リモコン３と同様の回路ブロックが存在するが、同様のブロックは、同じ符号を与え、説明も省略する。
【００１６】
以上のように構成された給湯機について、図２を用いて、以下その動作、作用を説明する。
【００１７】
図２は、本発明の実施の形態１における給湯機の音声案内のフローチャートである。
【００１８】
まず、浴室リモコン３で音声案内を行う場合、人検知手段７で浴室の人の在／不在を検知する。その結果、人を検知している場合は、図２のＳ１から、Ｓ２に進む。Ｓ２では、通常の音声案内（例えば、お風呂のお湯張り完了報知の音声案内）を開始する。
【００１９】
もし、人検知手段７で人を検知していない場合は、図２のＳ１で「Ｎ」側に進み、スピーカー９から音声は出力されない。
【００２０】
以上のように、本実施例の形態においては、浴室リモコンに、人の在／不在を検知する人検知手段を設け、前記人検知手段が人を検知していない場合は、スピーカーからの音声案内を行なわないようにすることで、無駄な音声案内をなくし、省エネ性や快適性を向上させた給湯機を提供することができる。
【００２１】
なお、台所リモコン２においても、台所リモコン２近傍の人の在／不在を検知する、人検知手段７を設けて、台所リモコン２の近傍に人がいない場合には、種々の音声案内を行なわないようにすることで、無駄な音声案内をなくし、さらに省エネ性や快適性を向上させた給湯機を提供することができる。
【産業上の利用可能性】
【００２２】
以上のように、本発明にかかる給湯機は、無駄な音声案内を抑制し、省エネ性や快適性を向上させることができるので、リモコンによる音声案内を行う温水暖房機等の用途にも
適用することができる。
【符号の説明】
【００２３】
１  給湯機本体
２  台所リモコン
３  浴室リモコン
４  通信手段
７  人検知手段
８  音声出力手段
９  スピーカー
【図１】
2013194932.tif 000003
【図２】
2013194932.tif 000004